(57)【要約】      （修正有）【課題】生体磁場同調器を具えた通信モジュールを提供し、当該通信モジュールで発生する電磁波を生体磁場同調器の作用を介することで生体の自然磁波パターンが電磁波の干渉を受けて磁場の配列順序を混乱させるような現象がおきることが無いようにする。【解決手段】通信モジュール１、及び、生体磁場同調器２を含み、当該通信モジュールは通信装置として構成できる複数個の電子素子を持つ電子デバイス組１２を含み、当該生体磁場同調器を当該通信モジュールの片側に設け、且つ、電磁波の下にさらされると、分子共鳴効果をもたらす材質で構成される。【選択図】図２
2008301466.tif 000002
【特許請求の範囲】
【請求項１】
通信モジュール、及び、
生体磁場同調器を含み、
当該通信モジュールが通信装置を構成できる複数個の電子素子を具備する電子デバイス組を含み、及び、当該生体磁場同調器が該通信モジュールの片側に設け、且つ、電磁波の下にさらされると、分子共鳴効果を発揮できる材質で構成されることを特徴とする、生体磁場同調器を具えた通信モジュール。
【請求項２】
請求項１記載の生体磁場同調器を具えた通信モジュールにおいて、当該通信モジュールには、更に回路板を含み、当該電子デバイス組と当該生体磁場同調器がそれぞれ当該回路板の表面、裏面に設置され、且つ、当該回路板が当該電子デバイス組内の各電子素子に電気接続することを特徴とする、生体磁場同調器を具えた通信モジュール。
【請求項３】
請求項２記載の生体磁場同調器を具えた通信モジュールにおいて、当該電子デバイス組には、当該回路板の局所に設置されるＲＦアンテナを含み、当該RFアンテナは、回路板の局部に設置される、及び、当該生体磁場同調器が当該回路板の裏面に設置され、また、当該回路板表面のＲＦアンテナに対向設置される生体磁場同調素子を含むことを特徴とする、生体磁場同調器を具えた通信モジュール。
【請求項４】
請求項３記載の生体磁場同調器を具えた通信モジュールにおいて、当該生体磁場同調素子が更に複数個の凹穴を含み、これらの凹穴は当該生体磁場同調素子の裏面から上方に向かって延伸して貫通することで形成された柱状中空部であることを特徴とする、生体磁場同調器を具えた通信モジュール。
【請求項５】
請求項４記載の生体磁場同調器を具えた通信モジュールにおいて、当該生体磁場同調素子が半楕円状構造であることを特徴とする、生体磁場同調器を具えた通信モジュール。
【請求項６】
請求項５記載の生体磁場同調器を具えた通信モジュールにおいて、これら凹穴には、当該生体磁場同調素子の半楕円状構造の中央部位に設置される第１凹穴、及び、それぞれ当該生体磁場同調素子の半楕円状構造の周囲に設置されると共に、当該第１凹穴を取り囲む複数個の第２凹穴を含むことを特徴とする、生体磁場同調器を具えた通信モジュール。
【請求項７】
請求項６記載の生体磁場同調器を具えた通信モジュールにおいて、当該第１凹穴の内側の直径の寸法が当該第２凹穴のものより大きいことを特徴とする、生体磁場同調器を具えた通信モジュール。
【請求項８】
請求項１記載の生体磁場同調器を具えた通信モジュールにおいて、当該通信モジュールは更に筐体を含み、当該電子デバイス組は複数個の電子素子を構成できる通信装置を持ち、当該筐体が当該電子デバイス組と当該生体磁場同調器を包み込み、且つ、当該生体磁場同調器が該電子デバイス組と該筐体の間に設置されることを特徴とする、生体磁場同調器を具えた通信モジュール。
【請求項９】
請求項８記載の生体磁場同調器を具えた通信モジュールにおいて、当該電子デバイス組には、更にＲＦアンテナを含み、当該アンテナと電気回路が当該回路板の表面に設置され、及び、当該生体磁場同調器は複数個の貫通する空洞部を含み、且つ、これら空洞部は各々当該通信モジュール内の一部構成部材と対応することを特徴とする、生体磁場同調器を具えた通信モジュール。
【請求項１０】
請求項９記載の生体磁場同調器を具えた通信モジュールにおいて、当該通信モジュールには、更に回路板を含み、当該電子デバイス組が当該回路板の表面に設置され、且つ、当該生体磁場同調器が当該回路板の裏面と当該筐体の内側表面の間に設置されることを特徴とする、生体磁場同調器を具えた通信モジュール。
【請求項１１】
請求項９記載の生体磁場同調器を具えた通信モジュールにおいて、当該通信モジュールには、更に回路板を含み、当該電子デバイス組が当該回路板の表面に設置され、且つ、当該生体磁場同調器が当該回路板の裏面に対向する筐体の内側表面に設置することを特徴とする、生体磁場同調器を具えた通信モジュール。
【請求項１２】
請求項９記載の生体磁場同調器を具えた通信モジュールにおいて、当該電子デバイス組には、更にスクリーン及びキーボードを含み、当該スクリーンと当該キーボードが当該回路板の裏面に設置され、並びに、当該生体磁場同調器の複数個の空洞部は第１空洞部、及び、第２空洞部を含み、且つ、当該第１空洞部が当該スクリーンに対応し、当該第２空洞部が当該キーボードに対応することを特徴とする、生体磁場同調器を具えた通信モジュール。
【請求項１３】
請求項１記載の生体磁場同調器を具えた通信モジュールにおいて、当該生体磁場同調器が特殊な高誘電体の極性ポリマーであることを特徴とする、生体磁場同調器を具えた通信モジュール。
【発明の詳細な説明】
【技術分野】
【０００１】
本発明は、生体磁場同調器を具えた通信モジュールについてであり、特に通信設備であると共に生体磁場同調機能を兼ね備えることで、電磁波による人間の生体磁場に対する影響を引き下げて、電磁波の無線伝送により人体の生体磁場に対するマイナス面の効果をもたらさないことにある。
【背景技術】
【０００２】
既知の無線通信装置の伝送効率は、均しくアンテナ本体の特性により信号損失があるため、往々にしてＲＦ信号を有効的に送信して有効的なＲＦ無線伝送信号とするため、送信電力をアップする必要があり、つまり電磁波の強度を増大させ、これにより、空気中に見えないにも関わらず、実質的に存在する暗殺者?電磁波が充満している。
【０００３】
空気中の電磁波強度が実質的に存在しているため、人体がその有効的な送信電力範囲における人体の生体電磁場内において、直接磁場の配列順序混乱への影響が生じるため、長期間無線伝送の環境の下にさらされていると容易に人体に病をもたらす。
【０００４】
これにより、本発明の発明者は、既知の電磁波送信における人体の健康を欠如するという見地から、生体電磁場同調器を具える通信モジュールを発明するに至ることで人々が安心して健康的に無線伝送テクノロジーの利便性を享受できる。
【発明の開示】
【発明が解決しようとする課題】
【０００５】
本発明の主な目的は、生体磁場同調器を具えた通信モジュールを提供し、当該通信モジュールで発生する電磁波を生体磁場同調器の作用を介することで生体の自然磁波パターンが電磁波の干渉を受けて磁場の配列順序を混乱させるような現象がおきることが無いようにすることにある。
【０００６】
本発明の別の目的は、生体磁場同調器を具えた通信モジュールを提供し、当該通信モジュールのアンテナが発生する高強度電磁波について、無線設備からの電磁波による人体への損傷を引き下げるため、生体磁場同調器の配置を設計することにある。
【０００７】
さらに、本発明の更なる目的は、生体磁場同調器を具えた通信モジュールを提供し、一般的な携帯電話の電子素子から発生する電磁波について、携帯電話の電磁波による人体への損壊を引き下げるため、生体磁場同調器の配置及び構造を設計することにある。
【課題を解決するための手段】
【０００８】
前述の目的を達成するため、本発明は生体磁場同調器を具えた通信モジュールで、且つそれは通信モジュール及び生体磁場同調器を含む。当該通信モジュールは通信装置として構成できる複数個の電子素子を具備する電子デバイス組を含み、及び当該生体磁場同調器が当該通信モジュールの片側に設け、且つ電磁波の下にさらされると、分子共鳴効果を発揮できる材質で構成されている。
【０００９】
前述の通信モジュールは、更に回路板を含み、当該電子デバイス組と当該生体磁場同調器をそれぞれ当該回路板の表面、裏面に設置し、且つ当該回路板が当該電子デバイス組内の各電子素子に電気接続する。更に、当該電子デバイス組にはＲＦアンテナを含み、当該ＲＦアンテナは当該回路板の局所に設置される。及び当該生体磁場同調器は生体磁場同調素子を含み、当該生体磁場同調素子が当該回路板の裏面に設置され、また当該回路板の表面のＲＦアンテナに対向設置する。
【００１０】
前述の生体磁場同調素子は、複数個の凹穴を更に持ち、これら凹穴は当該生体磁場同調素子の裏面から上方に向かって延伸して貫通することで形成した柱状の中空部である。当該生体磁場同調素子は半楕円状構造とすることができ、且つこれら凹穴は第１凹穴及び複数個の第２凹穴を含み、当該第１凹穴が当該生体磁場同調素子の半楕円状構造の中央部位に設置され、これら第２凹穴がそれぞれ当該生体磁場同調素子の半楕円状構造の周囲に設置されると共に当該第１凹穴を取り囲む。その他、当該第１凹穴の内側の直径の寸法は、当該第２凹穴のものより大きくなる。
【００１１】
前述の通信モジュールは、筐体を含むことができ、当該電子デバイス組が通信装置を構成できる複数個の電子素子を持ち、当該筐体には当該電子デバイス組と当該生体磁場同調器を包み込みんで設置し、且つ当該生体磁場同調器を当該電子デバイス組と当該筐体の間に設置する。当該電子デバイス組は更にアンテナモジュールを含み、当該アンテナモジュールと電気回路が当該回路板の表面に設置される。及び当該生体磁場同調器には複数個に貫通する空洞部を含み、且つこれら空洞部はそれぞれ当該通信モジュール内の一部構成部材に対応する。当該通信モジュールは更に回路板を含み、当該電子デバイス組が当該回路板の表面に設置され、そして当該生体磁場同調器が当該回路板の裏面と当該筐体の内側表面の間に設置される。
【００１２】
その他、当該生体磁場同調器は当該回路板裏面の筐体の内側表面にくるよう設置できる。
【００１３】
更に、当該電子デバイス組は更にスクリーン及びキーボードを含み、当該スクリーンと当該キーボードが当該回路板の裏面に設置される。及び当該生体磁場同調器の複数個の空洞部には、第１空洞部及び第２空洞部を含み、且つ当該第１空洞部がスクリーンに対応し、当該第２空洞部が当該キーボードに対応する。
【００１４】
当該技術を熟知する者に本発明の目的、特徴及び効果について理解していただくため、下記の具体的な実施例を介し付属の図面を組み合わせることで、本発明に対する詳細な説明を後記のとおり行うものである。
【００１５】
図１は、本発明である生体磁場同調器を具えた通信モジュールの第一番目の具体的な実施例の側面図である。本発明である生体磁場同調器を持つ通信モジュールは、通信モジュール１及び生体磁場同調器２で構成され、当該通信モジュール１には電子デバイス組１２を含み、当該電子デバイス組１２が通信装置を構成できる複数個の電子素子を持ち、当該生体磁場同調器２が当該通信モジュール１の片側に設置され、且つ当該生体磁場同調器２が電磁波の下にさらされると、分子共鳴効果（ｍｏｌｅｃｕｌａｒ  ｒｅｓｏｎａｎｃｅ  ｅｆｆｅｃｔ）をもたらす材質で構成される。電磁波が当該生体磁場同調器２を通過した時近くの電磁波のパターンを改めて同調し直すことで、同時に電磁波作用に近接する生体磁場が既存の配列順序を維持して混乱させないようにできる。
【００１６】
前述の当該通信モジュール１は更に回路板１１を含み、当該電子デバイス組１２と当該生体磁場同調器２がそれぞれ当該回路板１１の表面、裏面に設置され、且つ当該回路板１１が当該電子デバイス組１２内の各電子素子の間で必要とする電気接続を提供できる。
【００１７】
前述の生体磁場同調器２は、電磁波の下にさらされると、分子共鳴効果をもたらす材質で構成され、且つ当該材質は特殊な高誘電体の極性ポリマー（ｐｏｌａｒ  ｐｏｌｙｍｅｒ）で、当該材質が外部の電磁波信号を検知した時、身体或いは生体に類似する薄い周波数の磁場振動に応答し、当該電磁波信号は、電器用品が引き起こす有害電磁波信号を調整・中和することができる。
【００１８】
図２は、本発明である生体磁場同調器を具えた通信モジュールの第二番目の具体的な実施例の側面図である。前記にある本発明の実施例に基づき、前記通信モジュール１内の電子デバイス組１２にはＲＦアンテナ１２ａ及び電気回路１２ｂを含み、ＲＦアンテナ１２ａは当該回路板１１の局所に設置され且つ電磁波信号の受信或いは送信に用いる。ＲＦアンテナ１２ａ及び当該回路板１１の他局所に設置され、且つ当該ＲＦアンテナ１２ａが受信或いは送信した電気信号の処理に用いる電気回路１２ｂを含む。当該電気回路１２ｂは、メッセージを運ぶ電気信号を当該ＲＦアンテナ１２ａに出力し、当該ＲＦアンテナ１２ａを通じてこの電気信号を運ぶ電磁波信号を放射させることができる。或いは当該ＲＦアンテナ１２ａが電気信号の電磁波信号を受信すると共に、別の電気信号に変換して当該電気回路１２ｂに入力してから当該電気回路１２ｂを経由して信号処理を行うことで、当該電気回路１２ｂから入力した電気メッセージを解析する。
【００１９】
前述の生体磁場同調器２内には、生体磁場同調素子２１を含み、当該生体磁場同調素子２１は当該回路板１１の裏面に設置され、並びに当該回路板１１の表面のＲＦアンテナ１２ａに対応設置する。
【００２０】
更に図３及び図４について、図３は本発明である生体磁場同調器を具えた通信モジュールの第三番目の具体的な実施例の側面図で、且つ図４が本発明の図３の実施例の上面図である。前述の実施例内において、当該生体磁場同調器２内には、生体磁場同調素子２１を含み、当該生体磁場同調素子２１表面が当該通信モジュール１内の回路板１１の裏面に固設し、また当該回路板１１の通信モジュール１内のＲＦアンテナ１２ａ下方に対向設置する。当該生体磁場同調素子２１は複数個の凹穴を更に持ち、これら凹穴が当該生体磁場同調素子２１の裏面から上方に向かって延伸して貫通することで形成した柱状中空部であるため、当該電子デバイス組１２が発生する電磁波、特に当該ＲＦアンテナ１２ａが発生する電磁波は、これら凹穴に入ることで当該生体磁場同調素子２１が引き起こす分子共鳴効果に提供するエネルギーを増加させて当該生体磁場同調素子２１の分子共鳴効果がもたらす効果を増進させることができる。
【００２１】
更に、前述の生体磁場同調素子２１は半楕円状構造で、且つこれら凹穴内において、中央部位に位置する凹穴を第１凹穴２１と定義し、及び周囲部位に位置する凹穴を第２凹穴２２と定義し、且つ当該第１凹穴２１の内側の直径の寸法が当該第２凹穴２２のものよりも大きい。
【００２２】
図５及び図６について、図５は本発明である生体磁場同調器を具えた通信モジュールの第四番目の具体的な実施例の上面図で、且つ図６が本発明の図５の実施例Ｉ−Ｉ断面の断面図である。本発明である生体磁場同調器を具えた通信モジュールは、通信モジュール３及び生体磁場同調器４で構成され、当該通信モジュール３は電子デバイス組３２及び筐体３３を含み、当該電子デバイス組３２が通信装置を構成できる複数個の電子素子を持ち、当該筐体３３が当該電子デバイス組３２と当該生体磁場同調器４を包み込み並びに設置し、当該生体磁場同調器４が当該電子デバイス組３２と当該筐体３３の間に設置され、且つ当該生体磁場同調器４が電磁波の下にさらされると、分子共鳴効果をもたらす材質で構成される。電磁波が当該生体磁場同調器２を通過した時近くの電磁波のパターンが改めて同調し直すことで、同時に電磁波作用に近接する生体磁場が既存の配列順序を維持して混乱させないようにできる。
【００２３】
前述の通信モジュール３は、更に回路板３１を含み、且つ当該電子デバイス組３２がＲＦアンテナ３２ａ、電気回路３２ｂ、スクリーン３２ｃ、キーボード３２ｄ、イヤフォン部３２ｅ及びマイクロホン部３２ｆを含み、当該電子デバイス組３２内のＲＦアンテナ３２ａと電気回路３２ｂが当該回路板３１の表面に設置され、当該電子デバイス組３２内のスクリーン３２ｃ、キーボード３２ｄ、イヤフォン部３２ｅとマイクロホン部３２ｆが当該回路板３１の裏面に設置される。当該回路板３１は当該電子デバイス組３２内の各電子素子の間に必要とする電気接続を提供できる。当該ＲＦアンテナ３２ａが当該回路板３１の局所に設置され、且つ電磁波信号の受信或いは送信に用いる。当該電気回路３２ｂが当該回路板３１の他局所に設置され、且つ当該通信モジュール３内に要する電気信号の処理に用いる。当該スクリーン３２ｃは当該通信モジュール３の文字画像メッセージの表示装置で、当該キーボード３２ｄが当該通信モジュール３のメッセージ入力装置、当該イヤフォン部３２ｅが当該通信モジュール３の音声メッセージ出力装置、及び当該マイクロホン部３２ｆが当該通信モジュール３の音声メッセージ入力装置である。これにより、当該電気回路３２ｂはメッセージを運ぶ電気信号を当該ＲＦアンテナ３２ａに出力して当該ＲＦアンテナ３２ａを通じてこの電気信号を運ぶ電磁波信号を放射させることができる。或いは当該ＲＦアンテナ３２ａは、電気信号を運ぶ電磁波信号を受信すると共に別の電気信号に変換して当該電気回路３２ｂに入力してから当該電気回路３２ｂを経由して信号処理を行うことで当該電気回路３２ｂが入力した電気メッセージを解析する。更に、前述の生体磁場同調器４には生体磁場同調素子４１を含み、当該生体磁場同調素子４１が電磁波の下にさらされると、分子共鳴効果をもたらす材質で構成された板体で、且つ当該通信モジュール３内の一部構成部材を避けるため、当該生体磁場同調素子４１が複数個の空洞部を持つ。具体的に言うと、前記生体磁場同調素子４１は、当該筐体３３の当該回路板３１裏面に対向する内表面に貼付でき、且つ当該生体磁場同調素子４１内の複数個の空洞部内には第１空洞部４１ａ及び第２空洞部４１ｂを含み、当該第１空洞部４１ａが当該スクリーン３２ｃに対応し、及び当該第２空洞部４１ｂが当該キーボード３２ｄに対応することで、当該スクリーン３２ｃ及び当該キーボード３２ｄをそれぞれ当該回路板３１裏面から当該筐体３３の箇所まで延伸させることができ、且つこの設置は当該スクリーン３２ｃと当該キーボード３２ｄの機械的に干渉するという問題が発生しない。
【００２４】
これにより、当該通信モジュール３の稼動時、当該通信モジュール３内部に発生した電磁波、特に当該ＲＦアンテナ３２ａが発生した巨大電磁波信号は、当該生体磁場同調器４１の分子共鳴効果により、電磁波が当該生体磁場同調器４を通過した時近くの電磁波のパターンが改めて同調し直すことで、同時に電磁波作用に近接する生体磁場が既存の配列順序を維持して混乱させないようにできる。
【００２５】
以上、本発明について詳細に説明したが、上記に記載するものは本発明の好ましい実施例であり、これによって本発明の実施範囲を限定するものではなく、本発明の特許請求の範囲に基づいて行った均等改変と修飾は、全て本発明の特許カバー範囲にある。
【図面の簡単な説明】
【００２６】
【図１】本発明である生体磁場同調器を具えた通信モジュールの第一番目の具体的な実施例の側面図である。
【図２】本発明である生体磁場同調器を具えた通信モジュールの第二番目の具体的な実施例の側面図である。
【図３】本発明である生体磁場同調器を具えた通信モジュールの第三番目の具体的な実施例の側面図である。
【図４】本発明の図３の実施例の上面図である。
【図５】本発明である生体磁場同調器を具えた通信モジュールの第四番目の具体的な実施例の上面図である。
【図６】本発明の図５の実施例のＩ−Ｉ断面の断面図である。
【符号の説明】
【００２７】
１ 通信モジュール
１１ 回路板
１２ 電子デバイス組
１２ａ ＲＦアンテナ
１２ｂ 電気回路
２ 生体磁場同調器
２１ 生体磁場同調素子
２１ 第１凹穴
２２ 第２凹穴
３ 通信モジュール
３１ 回路板
３２ 電子デバイス組
３２ａ ＲＦアンテナ
３２ｂ 電気回路
３２ｃ スクリーン
３２ｄ キーボード
３２ｅ イヤフォン部
３２ｆ マイクロホン部 
３３ 筐体
４ 生体磁場同調器
４１ 生体磁場同調器
４１ａ 第１空洞部
４１ｂ 第２空洞部
【図１】
2008301466.tif 000003
【図２】
2008301466.tif 000004
【図３】
2008301466.tif 000005
【図４】
2008301466.tif 000006
【図５】
2008301466.tif 000007
【図６】
2008301466.tif 000008